(57)【要約】      （修正有）【課題】無線インターネットでの最適な受信位置を調整することができ、盗撮、盗聴を防止することができる効果を達成することが出来る。【解決手段】この考案は無線信号スキャン検知装置、すくなくとも信号処理器、信号検知モジュール、電源モジュール、アンテナ、ディスプレイ装置、切換モジュール及び電池などを含み、切換モジュールを利用して無線インターネット信号の強弱を検知するか、大きな範囲の高周波信号を検知するか選択し、電源モジュールを利用して検知信号の種類を制御することができ、これによって、無線インターネットの最適な受信位置を調整することができ、盗撮、盗聴を防止する効果を達成することができる。【選択図】図１
0003107871.tif 000002
【実用新案登録請求の範囲】
【請求項１】
すくなくともアンテナ、信号検知モジュール、電源モジュール、切換モジュール、ディスプレイ装置、電池及び信号処理器が含まれ、そのうちアンテナは電波信号を受けるのに用いられ、信号検知モジュールには、アンテナとカップリングするメインアンプが含まれ、そのメインアンプの後端にはそれぞれ第一、二フィルターが接続されており、第一フィルターの後端にもメインリアアンプが接続されており、メインリアアンプは拡大した信号を検波アンプに送り、第二フィルターの後端は直接検波アンプに接続しており、その検波アンプは信号の違いにより、直接信号を信号処理器または整波アンプに送りことを選択し、整波アンプも最終的な信号を信号処理器に送り、その電源モジュールは、主にメインアンプへの給電を制御し選択し、検波アンプ及び整波アンプへ給電し続けるものであり、切換モジュールは、主に検知信号の種類を選択するのに用いられ、ディスプレイ装置は、検知した信号の強度を表示するのに用いられ、電池は、正常な作業電源の提供に用いられ、信号処理器は、切換モジュールの選択によって電源モジュールの給電の対象に通知し、受信した信号を分析処理し、ディスプレイ装置に反映させ、随時電池の電圧が安定しているかどうか検知する。
【請求項２】
請求項１に述べた無線信号スキャン検知装置のうち、その第一フィルターが２．４Ｇ〜２．４８３ＧＨｚの通過を制限する帯域フィルターであるもの。
【請求項３】
請求項１に述べた無線信号スキャン検知装置のうち、そのディスプレイ装置に少なくとも液晶、発光ダイオード、ブザーなどのうちのいずれかが含まれているもの。
【請求項４】
請求項３に述べた無線信号スキャン検知装置のうち、その切換モジュールがディスプレイ装置のディスプレイ方式を、液晶、発光ダイオード、ブザーなどのいずれかの１種に選択できるもの。
【請求項５】
請求項１に述べた無線信号スキャン検知装置のうち、その信号処理器に２つの閾値参考電圧調整ボタンを接続できるもの。
【考案の詳細な説明】
【技術分野】
【０００１】
この考案は、無線インターネットの最適な受信位置を調整することができ、盗撮、盗聴を防止することができる無線信号スキャン検知装置に関するものである。
【背景技術】
【０００２】
現在、我々の生活は、ほとんど無線信号の世界と離れられない関係があり、各種の電波信号が絶えず我々の周囲に存在しており、最も普遍的に使用されている携帯電話、ラジオなどをはじめとし、インターネットでさえも、有線の世界から無線の領域にグレードアップしており、これは常に仕事の必要のため異なる場所に身を置く人にとって、大きな役割を果たしているが、電波信号が常に建築物に遮られ、発信局の方向の影響を受け、受信信号が悪くなり、使用者に使用上の不便をもたらしている。そのため、使用者はよりよい受信品質を求めるため、検知可能なネットワーク帯域が２．４Ｇ〜２．４８３ＧＨｚである無線信号検知器を購入して、信号がどの方向で最適な受信品質を受けることができるかを検知し、信号の連続によってネットワーク接続が中断することを避けなければならない。
【０００３】
さらに、マイクロカメラ、盗聴器など、一部の検知用の電子製品は、悪意のある人に不正な応用がなされることがあり、他人のプライバシーが損害を受けている。自身の外出中のプライバシーを守るため、多くの人がさらに出費して盗撮、盗聴防止の無線検知器を購入している（その検知範囲は、おおよそ５０Ｍ〜２．５ＧＨｚ）。
【考案の開示】
【考案が解決しようとする課題】
【０００４】
上述の２つの無線信号検知器は、主に受信した信号の強弱を検知して信号源の方向を判断するのに用いられており、最適な無線インターネットの方向、及び盗撮、盗聴防止のためには、２種の無線検知装置を購入する必要があり、使用者の購入コストは非常に高いものになり、同時に２種の無線装置を携帯することも、使用者にとって不便である。
【課題を解決するための手段】
【０００５】
上述の従来の信号検知装置の不足感について、考案者は不完全さを感じ、研究し克服することを目指し、この産業での長年累積した経験を活用し、無線インターネットの最適な受信位置を調整することができ、盗撮、盗聴を防止することができる無線信号スキャン検知装置を開発した。
【考案の効果】
【０００６】
この考案の主な目的は、無線信号スキャン検知装置を設計し、無線インターネット最適な受信位置を調整することができ、盗撮、盗聴を防止することができる効果を達成することである。
【考案を実施するための最良の形態】
【０００７】
上述の目的を達成するため、この考案は、すくなくとも信号処理器、信号検知モジュール、電源モジュール、アンテナ、ディスプレイ装置、切換モジュール及び電池などを含み、切換モジュールを利用して無線インターネット信号の強弱を検知するか、大きな範囲の高周波信号を検知するか選択し、電源モジュールを利用して検知信号の種類を制御することができ、これによって、無線インターネットの最適な受信位置を調整することができ、盗撮、盗聴を防止する効果を達成することができる、無線信号スキャン検知装置によって実現される。
【０００８】
〔実施例〕
この考案の目的、特徴及び効果が理解できるよう、ここに具体的な実施例を紹介し、添付した図によって、この考案について次の通り詳細に説明する。
【０００９】
図１は、この考案の回路ブロック図である。図で示したように、この無線信号スキャン検知装置には、すくなくともアンテナ１、信号検知モジュール２、電源モジュール３、切換モジュール４、ディスプレイ装置５、電池６及び信号処理器７が含まれ、そのうちアンテナ１は電波信号を受けるのに用いられ、信号検知モジュール２には、アンテナ１とカップリングするメインアンプ２１が含まれ、そのメインアンプ２１の後端にはそれぞれ第一、二フィルター２２、２３（第一フィルターは２．４Ｇ〜２．４８３ＧＨｚの通過を制限する帯域フィルター）が接続されており、第一フィルター２２の後端にもメインリアアンプ２４が接続されており、メインリアアンプ２４は拡大した信号を検波アンプ２５に送り、第二フィルター２３の後端は直接検波アンプ２５に接続しており、その検波アンプ２５は直接信号を信号処理器７または整波アンプ２６に送り、整波アンプ２６も最終的な信号を信号処理器７に送る。該電源モジュール３は、主にメインアンプ２１、メインリアアンプ２４への給電を制御し選択し、検波アンプ２５及び整波アンプ２６へ給電し続けるものである。切換モジュール４は、主に検知信号の種類（例えば無線インターネットの最適な信号受信方位の検知、または盗撮、盗聴の防止）を選択するのに用いられ、液晶、発光ダイオード、ブザーなどのうちからディスプレイ装置５のディスプレイ方式を１種選択することができる。ディスプレイ装置５は、検知した信号の強度を表示するのに用いられ、それぞれ液晶ＬＣＤ、発光ダイオードＬＥＤ、ブザーを用いることができる。電池６は、正常な作業電源の提供に用いられる。信号処理器７は、切換モジュール４の選択によって電源モジュール３の給電の対象に通知し、受信した信号を分析処理し、ディスプレイ装置５に反映させ、随時電池６の電圧が安定しているかどうか検知し、信号処理器も閾値参考電圧調整ボタン７１、７２に接続し、感知強度、閾値の高さを調整することができる。
【００１０】
この考案の装置の設計は、切換モジュール４で無線網路（ＷＩＦＩ）の検知を選択した時、その信号処理器７が電源モジュール３にメインアンプ２１、第一フィルター２２及びメインリアアンプ２４への給電を通知し、信号検知範囲を２．４Ｇ〜２．４８３ＧＨｚの間にし、検波アンプ２５及び整波アンプ２６を経て、データ、信号強度Levelを信号処理器７とその参考電位に送り照合し、得られた結果をすぐにディスプレイモジュール５に反映させ、無線インターネット信号の検知の距離が比較的遠いため、受信した信号が比較的微弱な場合、閾値参考電圧調整ボタン７２によって、信号の反応状況を更に明らかにする。
【００１１】
切換モジュール４を異常信号（ＳＰＹ）の検知を選択した時、その信号処理器７にメインアンプ２１、第二フィルター２２への給電を通知し、その検知範囲はおおよそ５０Ｍ〜２．５ＧＨｚで、検波アンプ２５を経て、信号処理器７とその参考電位に送り照合し、得られた結果をすぐにディスプレイモジュール５に反映させ、盗撮、盗聴防止に必要な検知の信号は近距離であるため、受信した信号が比較的強い場合、閾値参考電圧調整ボタン７１が感知距離を下げ、この考案は身辺の信号の反応状況のみ更に明らかにする。これによって、無線インターネットの最適な受信位置の調整、盗撮、盗聴防止の効果を達成する。
【産業上の利用可能性】
【００１２】
前に述べたように、この考案には刷新性があり、実用と利用の特性と価値があり、進歩性と改良性があり、完全に実用新案登録の法定要件に合致しているため、法に基づき実用新案登録申請を提出する。
【００１３】
この考案は上述のように比較的よい実施例によって開示しているが、この考案の実施の範囲を限定するのに用いたものではない。この技術に習熟したいかなる者でも、この考案の精神と範囲を逸脱しない限り、多くの変更や修飾をすることができ、この考案で行うすべての均等な変化と修飾は、この考案の実用新案登録請求の範囲が網羅するものとし、その境界は実用新案登録申請範囲を基準とする。
【図面の簡単な説明】
【００１４】
【図１】この考案の回路ブロック図である。
【符号の説明】
【００１５】
１    アンテナ
２    信号検知モジュール
３    電源モジュール
４    切換モジュール
５    ディスプレイモジュール
６    電池
７    信号処理器
２１  メインアンプ
２２  第一フィルター
２３  第二フィルター
２４  メインリアアンプ
２５  検波アンプ
２６  整波アンプ
７１  閾値参考電圧調整ボタン
７２  閾値参考電圧調整ボタン
【図１】
0003107871.tif 000003
【手続補正書】
【提出日】平成16年10月8日(2004.10.8)
【手続補正１】
【補正対象書類名】実用新案登録請求の範囲
【補正対象項目名】全文
【補正方法】変更
【補正の内容】
【実用新案登録請求の範囲】
【請求項１】
すくなくともアンテナ、信号検知モジュール、電源モジュール、切換モジュール、ディスプレイ装置、電池及び信号処理器が含まれ、そのうちアンテナは電波信号を受けるのに用いられ、信号検知モジュールには、アンテナとカップリングするメインアンプが含まれ、そのメインアンプの後端にはそれぞれ第一、二フィルターが接続されており、第一フィルターの後端にもメインリアアンプが接続されており、メインリアアンプは拡大した信号を検波アンプに送り、第二フィルターの後端は直接検波アンプに接続しており、その検波アンプは信号の違いにより、直接信号を信号処理器または整波アンプに送りことを選択し、整波アンプも最終的な信号を信号処理器に送り、その電源モジュールは、主にメインアンプへの給電を制御し選択し、検波アンプ及び整波アンプへ給電し続けるものであり、切換モジュールは、主に検知信号の種類を選択するのに用いられ、ディスプレイ装置は、検知した信号の強度を表示するのに用いられ、電池は、正常な作業電源の提供に用いられ、信号処理器は、切換モジュールの選択によって電源モジュールの給電の対象に通知し、受信した信号を分析処理し、ディスプレイ装置に反映させ、随時電池の電圧が安定しているかどうか検知する無線信号スキャン検知装置。
【請求項２】
請求項１に述べた無線信号スキャン検知装置のうち、その第一フィルターが２．４Ｇ〜２．４８３ＧＨｚの通過を制限する帯域フィルターである無線信号スキャン検知装置。
【請求項３】
請求項１に述べた無線信号スキャン検知装置のうち、そのディスプレイ装置に少なくとも液晶、発光ダイオード、ブザーなどのうちのいずれかが含まれている無線信号スキャン検知装置。
【請求項４】
請求項３に述べた無線信号スキャン検知装置のうち、その切換モジュールがディスプレイ装置のディスプレイ方式を、液晶、発光ダイオード、ブザーなどのいずれかの１種に選択できる無線信号スキャン検知装置。
【請求項５】
請求項１に述べた無線信号スキャン検知装置のうち、その信号処理器に２つの閾値参考電圧調整ボタンを接続できる無線信号スキャン検知装置。